(57)【要約】【課題】  遠心分離機を使用する場合には、レベリングボルトや固定具を使って遠心分離機を固定してから使用しなくてはならない。そのため従来は遠心分離機を頻繁に動かす必要が有る場合には、大変であった。場合によっては、遠心分離機メーカーのサービスマンによて、移動させる必要が有るので、レイアウト変更や、遠心分離機の設置場所の変更が簡単にできないという問題があった。また、遠心機分離機のキャスタのロックの解除及び移動時は、通電状態で行なわないほうが、良い。【解決手段】  キャスターにより移動可能で、運転する時には前記キャスターを固定、または筐体を床に固定する遠心機において、前記キャスターを固定したとき、または筐体を床に固定したときにのみ運転可能とする。【選択図】  図１
2010036051.tif 000002
【特許請求の範囲】
【請求項１】
キャスターにより移動可能で、運転する時には前記キャスターを固定、または筐体を床に固定する遠心機において、前記キャスターを固定したとき、または筐体を床に固定したときにのみ運転可能なことを特徴とした遠心分離機。
【請求項２】
キャスターを固定、または筐体を床固定したときのみ電源を入れられることを特徴とした請求項１記載の遠心分離機。
【請求項３】
キャスター固定部材または筐体床固定部材と電源スイッチカバー部材が連動しており、キャスターが固定または筐体が床固定されているときにのみ、電源スイッチにアクセスできる構造であることを特徴とした、請求項１から２記載の遠心分離機。
【請求項４】
キャスターの固定を解除したとき、または筐体の床固定を解除した時には、電源スイッチを切断することを特徴とした請求項３記載の遠心分離機。
【請求項５】
キャスター固定部材または筐体固定部材が電源の電気接点と連動しており、キャスターを固定したとき、または筐体固定したときのみ、電気接点が接続されていることを特徴とした請求項１から４記載の遠心分離機。
【請求項６】
電気接点は、電源スイッチと直列に配線されていることを特徴とした請求項５記載の遠心分離機。
【請求項７】
キャスター固定・解除または筐体の床固定・解除が、足で動作可能位置に配置した構造であることを特徴とした請求項１から６記載の遠心分離機。
【発明の詳細な説明】
【技術分野】
【０００１】
本発明は、遠心分離機に関するものである。
【背景技術】
【０００２】
一般に実験室等で使われる床置き式の遠心分離機は、移動用のキャスターを備えている。そのため、遠心分離機を使用する場合には、特許文献１の第４図に示すようにレベリングボルトと呼ばれる、ボルトを使って、キャスターを床面から離してから使用したり、特許文献１の第１図乃至第５図に示すようにキャスターに固定具を取り付けて、使用している。
こうすることにより、サンプル（試料）の入った試験管などの試料容器のセットミスによる、過大なインバランスによる振動等によって、本体が移動しないようにするためである。
なお、移動させる場合には、前記レベリングボルトを操作してキャスターを床面に下ろしてから移動させるか、キャスターに取り付けた固定具を取り外してから移動させていた。
【０００３】
【特許文献１】実開平４−８７７５０
【発明の開示】
【発明が解決しようとする課題】
【０００４】
従来、床置き式の遠心分離機は、その質量が大きいため移動用にキャスター付のものがほとんどである。そのため、遠心分離機を使用する場合には、背景技術で説明したように、レベリングボルトや固定具を使って遠心分離機を固定してから使用しなくてはならない。そのため従来は遠心分離機を頻繁に動かす必要が有る場合には、大変であった。場合によっては、遠心分離機メーカーのサービスマンによて、移動させる必要が有るので、レイアウト変更や、遠心分離機の設置場所の変更が簡単にできないという問題があった。なお、遠心分離機のキャスターのロックの解除時及び移動させる場合は、通電状態で行なわないほうが望ましい。
【課題を解決するための手段】
【０００５】
上記問題は、遠心分離機のキャスターの固定、及び遠心分離機を固定をする固定機構を設け、固定する部材が本体下側にあるレバーと連動して、ワンタッチで固定できるようにリンク等を使用して連結することで、足での操作で固定・解除を行うことができ、遠心分離機の設置・移動を容易にすることが可能となる。
【０００６】
さらに、前記固定機構に連動して遠心分離機の電源をＯＦＦできるようにしても良い。連動の方策としては、連動する部材が電源スイッチ全部の開口部を覆うことの出来るカバを開閉して動作を制限し、カバが閉まっている時にはカバに設けた突起によって、電源スイッチのレバーを電源ＯＦＦの位置に移動させる構造とすることで実現できる。または、連動する部材が電源スイッチの接点部分に連結して、キャスタ固定や本体固定が完了した位置でのみ接点が動通するように配置することでも可能である。
【発明の効果】
【０００７】
本発明によれば、本体の固定・解除を容易にできる遠心分離機を提供できる。
【発明を実施するための最良の形態】
【０００８】
本発明の実施例となる遠心分離機の概略構造を示す断面図を図１から図３に示す。遠心分離機本体1にはロータ１００の回転するロータ回転室１０１があり、ロータ回転室１０１はボウル１０１ｂによって、形成されている。ロータ回転室１０１の上部には、ロータ１００を出し入れするための開口部１０１ａを有し、開口部１０１ａを開閉するためのドア１ａが設けられている。更に、ボウル１０１ｂの下側にはロータ１００を回転駆動するモータ（駆動部）１０２が配置されており、駆動部１０２の回転駆動力は回転軸１０２ａによって、ロータ１００に伝達される。なお、駆動部１０２の回転速度は図示されていない入力部によって、操作者（オペレータ）によって入力されて設定回転速度になるよう信号線１０３ａを介してコントローラ１０３で制御される。コントローラ１０３への電源は、電源スイッチ８のレバー部８ａを操作（上下動）することによりON/OFFされる。遠心分離機１底面にはキャスタ４が複数個（通常４個）取り付けられており、本体を移動するときに使用される。
【０００９】
電源スイッチ８の前には上下に可動なシャッタ６があり、シャッタリンク１０を介してレバーリンク２の一端に軸接続されている。レバーリンク２は筐体に固定されたリンクの支点５を回転中心として、回転するので、レバーリンク２の両端は円状の軌跡をたどりながら、上下に移動することができる。レバーリンク２の一端２ａは手動で動作可能である。通常足で操作される。
【００１０】
レバーリンク2には、レバーリンク２の一端２ａと、支点５との間にストッパリンク１１の一端１１ａが軸接続されており、ストッパリンク１１の他端１１ｂは上下に移動可能なキャスタストッパ３に接続されている。更に、レバーリンク２の他端２ｂには、シャッターリンク１０が軸接続されており、ロックレバー２を下げることで遠心分離機１に設けられたガイド１ｂにガイドされたシャッタ６は、シャッターリンク１０によって上方に押し上げられ、キャスタストッパ３は、ストッパリンク１１によって押し下げられる構造である。
【００１１】
キャスタストッパ３は最下端に下がると全キャスター４の回転をロックし、遠心分離機１が移動できないようロックする機能を有している。図１はキャスター４がフリーの状態であり、遠心分離機１を移動可能である。また図３はロックレバー２を下げ、キャスター４をロックした状態を示している。更に、レバーストッパ１２によりロックレバー２の動きを固定することによって、キャスタ４の固定を維持することが出来る。
【００１２】
シャッタ６の電源スイッチ８側の面には凸部７があり、シャッタ6が下側にあるときには電源スイッチ８のレバー部８ａを凸部７が下方に押し下げるため電源を強制的にＯＦＦするように配置されれている。図２は図１のＡ方向からみたシャッタ6の図である。凸部７の下方には電源スイッチ8にアクセス可能な開口部２０があり、シャッタ6が上の位置にあるときにのみ電源スイッチ８のレバー８ａにアクセス可能となり、従来の遠心分離機のように、遠心分離機の使用者によって、電源スイッチ８のレバー８ａを操作することが出来るようになり、電源をＯＮ又はＯＦＦすることができる。なお、電源がＯＮしている状態でロックレバー２を操作してキャスターストッパ３によるキャスター４のロックが解除されると、シャッタ６が下がり、凸部７が電源スイッチ8のレバー部８ａを押し下げて遠心分離機の電源をＯＦＦする。
【００１３】
図４は、遠心分離機１の固定をアジャスタフット２２で固定する実施例である。先に述べた実施例と、同一の機能を有する部材には同一の符号を付し、その繰り返しの説明を省略する。
ストッパリンク１１の他端１１ｂが複数のアジャスタフット２２が固定された上下動可能なアジャスタベース２１に軸接続され、ロックレバー２と連動している。本図は遠心分離機１が固定された状態を示している。アジャスベース２１が下方に下がることで、遠心分離機１を持ち上げ、キャスター４を床から離し、アジャストフック２２によって、遠心分離機が床に固定される。各アジャスタフット２２は遠心分離機１の水平を出すために高さ調整が可能であり、図示されていないが、シャフト部２２ａにはネジ部になっており、また、アジャスベース２１にも、シャフト部２２ａのネジ部と同サイズの不図示のネジ穴が設けられている。そのため、アジャスタフット２２はアジャスタフット２２を回転させることによりアジャスベース２１に対して、上下動することが出来きるにので、アジャスタフット２２の高さ調整することが出来る。よって、遠心分離機の固定と同時に水平にすることが可能である。
【００１４】
図５は、最初の実施例においてシャッタ６の代わりに接点レバー３２と接点部３１を用いた実施例であり、先に述べた実施例と、同一の機能を有する部材には同一の符号を付し、その繰り返しの説明を省略する。
【００１５】
接点部３１を操作することで、電源をＯＮ／ＯＦＦすることが可能である。ロックレバー２と連動した接点レバー３２が、ロックレバー２によってキャスターストッパ３を下方に下げるように操作したときに、ガイド１ｂに沿って、上方に移動することによって、電源スイッチ８と直列に接続されている接点部３１のコンタクトアーム３１ｂをもうひとつのコンタクトアーム３１ａに接触（接続）するまで動かすことで、遠心分離機１に電力を供給することが出来、また、逆に、ロックレバー２によってキャスターストッパ３を上方に上げるように操作したときに、接点レバー３２はガイド１ｂに沿って、下方に移動することによって、コンタクトアーム３１とコンタクトアーム３１ａの接続が切れることで、電源スイッチ８がＯＮの状であっても、電源回路を切断し遠心分離機１への電力供給を遮断することが出来る。図はキャスタ4を固定した状態を示している。
【図面の簡単な説明】
【００１６】
【図１】本発明の実施例となる遠心分離機の概略断面図。
【図２】図１のＡ方向から見たシャッタ形状。
【図３】本発明の実施例となる遠心分離機のキャスタロック時の概略断面図
【図４】本発明の実施例となる遠心分離機のフロア固定時の概略断面図
【図５】本発明の実施例となる遠心分離機のキャスタロック時の概略断面図
【符号の説明】
【００１７】
１は遠心機本体、２はロックレバー、３はキャスタストッパ、４はキャスタ、５はリンクの支点、６はシャッタ、7は凸部、8は電源スイッチ、１０はシャッタリンク、１１はストッパリンク、１２はレバーストッパ、２０は開口部、２１はアジャアスタベース、２２はアジャスタフット、３１は接点、３２は接点レバー、３３はレバーリンク、１００はロータ、１０１は回転室、１０２はモータ、１０３はコントローラ、１０４は電源プラグである。
【図１】
2010036051.tif 000003
【図２】
2010036051.tif 000004
【図３】
2010036051.tif 000005
【図４】
2010036051.tif 000006
【図５】
2010036051.tif 000007